(57)【要約】【課題】携帯性に優れ且つ安価な保持具を提供する。【解決手段】被保持体に取り付ける取付部５を一端に備えた軸部６と、軸部６の他端に伸縮可能に備えた主軸７と、軸部６に取り付けて主軸７の回りに配置した３つ以上の開脚可能な脚部８とを有する保持具１であって、脚部８の開脚側端部には先端に向かって縮径した縮径部１８を有し、主軸７には縮径部１８と係合する係合部１９を有する。【選択図】図４
2006235136.tif 000002
【特許請求の範囲】
【請求項１】
被保持体に取り付ける取付部を一端に備えた軸部と、該軸部の他端に伸縮可能に備えた主軸と、前記軸部に取り付けて主軸の回りに配置した３つ以上の開脚可能な脚部とを有する保持具であって、前記脚部の開脚側端部には先端に向かって縮径した縮径部を有し、前記主軸には前記縮径部と係合する係合部を有することを特徴とする保持具。
【請求項２】
前記軸部は、長手方向任意位置に自在継手を有することを特徴とする請求項１記載の保持具。
【請求項３】
前記軸部の外側に移動／または伸縮可能な外筒を備え、該外筒は前記取付部のカバーとなることを特徴とする請求項１又は２記載の保持具。
【請求項４】
前記主軸の先端部分は、タッチペン用剣先を備えることを特徴とする請求項１〜３いずれか１つに記載の保持具。
【発明の詳細な説明】
【技術分野】
【０００１】
本発明は、電子機器に用いられる保持具に関する。
【背景技術】
【０００２】
近年、デジタルカメラや携帯電話などの携帯用電子機器は、撮像部にて撮影できる機能を有している。斯かる撮影可能な携帯用電子機器は、撮影者が手に持って撮影することが前提となっているが、自分撮りやセルフタイマーでの撮影時には、電子機器を保持する三脚などの保持具が必要となってくる。
【０００３】
カメラを所定の姿勢に保持してセルフタイマー撮影を行うための従来の保持具としては、特許文献１に示す如きカメラ用三脚がある。
【特許文献１】特開平１０−１８６５０６号公報
【発明の開示】
【発明が解決しようとする課題】
【０００４】
しかしながら、特許文献１に示されるようなカメラ用三脚は、一般に前記デジタルカメラや携帯電話などの携帯用電子機器より大型で重いために携帯には問題があり、更に価格も比較的高価であるため、携帯用電子機器用には一般的には普及していない。
【０００５】
本発明は、上記実情に鑑みてなしたもので、携帯性に優れ且つ安価な保持具を提供しようとするものである。
【課題を解決するための手段】
【０００６】
上記目的を達成するために、本発明は、被保持体に取り付ける取付部を一端に備えた軸部と、該軸部の他端に伸縮可能に備えた主軸と、前記軸部に取り付けて主軸の回りに配置した３つ以上の開脚可能な脚部とを有する保持具であって、前記脚部の開脚側端部には先端に向かって縮径した縮径部を有し、前記主軸には前記縮径部と係合する係合部を有することを特徴とする。
【０００７】
また、本発明は、前記各脚部は、開脚時に所定の開脚角度に保持されることが好ましい。
【０００８】
また、本発明は、前記軸部は、長手方向任意位置に自在継手を有することが好ましい。
【０００９】
また、本発明は、前記軸部の外側に移動／または伸縮可能な外筒を備え、該外筒は前記取付部のカバーとなることが好ましい。
【００１０】
また、本発明は、前記取付部は、電子機器の接続端子に取り付けることが好ましい。
【００１１】
また、本発明は、前記取付部は、電子機器に設けたネジ孔に取り付けることが好ましい。
【００１２】
また、本発明は、前記主軸の先端部分は、タッチペン用剣先を備えることが好ましい。
【発明の効果】
【００１３】
上述した本発明の保持具では、小型・軽量で携帯性に優れ、且つ安価に提供できるという優れた効果を奏し得る。
【発明を実施するための最良の形態】
【００１４】
以下、本発明の実施の形態を添付図面を参照して説明する。
【００１５】
図１は本発明を実施する形態の一例であり、１はタッチペンを兼ねた保持具である。この保持具１は、図２に示す携帯用電子機器（被保持体）の一例である携帯電話機２の側部の係止片３に支持させて携帯電話機２と一緒に持ち歩くことができ、また、保持具１を携帯電話機２の係止片３から取り外すことにより図３に示す如くタッチペンとして使用できるようにしている。
【００１６】
前記保持具１は、図１、図４に示す如く、図１４の携帯電話機２の側部に備えられている接続端子４（接続プラグ）に対して着脱可能に取り付け得る取付部５を一端に備えた軸部６を有する。この軸部６の他端には伸縮可能な主軸７が設けられており、更に、前記軸部６の他端には３つの開脚可能な脚部８が、前記主軸７を取り囲むように配置されている。ここで、前記脚部８は３つ以上備えていればよくその数には制限されない。
【００１７】
前記軸部６は、図５に示す如く、長さ方向中間部を回転ヒンジなどの自在継手９によって折曲可能に接続した第１軸６ａと第２軸６ｂとを有しており、第１軸６ａに前記主軸７と脚部８を備え、第２軸６ｂに前記取付部５を備えている。そして、図１４の携帯電話機２の接続端子４に取り付けられる取付部５が回転可能であることと、前記自在継手９により第１軸６ａと第２軸６ｂが折り曲げ可能であることによって、前記第１軸６ａは携帯電話機２に対して任意の向きに傾斜し得るようになっている。尚、自在継手９には前記回転ヒンジ以外に、自在管継手、玉継手などの種々の継手方式を採用することができる。
【００１８】
前記第１軸６ａは、タッチペンとして用いる際に握り易い外径となっており、一方、第２軸６ｂは前記第１軸６ａよりも細い径となっていて、該第２軸６ｂの外周には、図５〜図７に示す如く軸方向に移動が可能な外筒１０が設けてあり、該外筒１０と前記第１軸６ａとの間は硬質樹脂などからなる蛇腹部１１により接続されている。図５は前記蛇腹部１１を取り外した状態を示す。前記外筒１０及び蛇腹部１１の外径は前記第１軸６ａの外径と略同一になっており、前記蛇腹部１１は前記自在継手９の外側をカバーしている。
【００１９】
前記保持具１をタッチペンとして使用するときは、図６に示す如く外筒１０を引き出すと蛇腹部１１が拡張するので、外筒１０によって取付部５を覆うことができ、従って軸部６を違和感のない良好なグリップ感で把持することができる。
【００２０】
また、前記保持具１を三脚として使用するために取付部５を図１４の接続端子４に接続する際は、図７に示す如く外筒１０を押し込んで蛇腹部１１を縮小させ、取付部５を露出させた状態にして接続端子４に挿入することにより接続する。
【００２１】
一方、前記各脚部８は、図１の如く主軸７の外周面に沿った状態から、図４に示す如く所定の角度（例えば主軸７に対して３０゜）で開脚できるように第１軸６ａに対して折曲部１２を介して取り付けられており、該折曲部１２には、図８、図９及び図１０、図１１に示すようなストッパ部１３を備えている。図８、図９の折曲部１２は、第１軸６ａとは別体の各脚部８がピン１２ａにより第１軸６ａに回動自在に取り付けられた場合を示しており、この例では、ピン１２ａを中心に脚部８が回動して開脚し、このとき脚部８に設けた当接面１４が第１軸６ａに設けた傾斜ストッパ面１５に当接することにより、各脚部８の開脚角度を例えば３０゜に保持するようにしたストッパ部１３を形成している。
【００２２】
一方、図１０、図１１は、前記脚部８の折曲部１２とストッパ部１３の他の形態を示したもので、樹脂などを用いて第１軸６ａと脚部８を一体に形成し、脚部８の折り曲げを行う部分の外面に、脚部８の長手方向と直交する方向の所要深さの溝部１６を形成している。この形態例では、前記脚部８は溝部１６によって形成された薄肉部１２ｂを支点に折り曲げることにより開脚でき、このとき溝部１６の当接面１７が互いに当接することによって、各脚部８の開脚角度を例えば３０゜に保持するようにしたストッパ部１３を形成している。
【００２３】
前記主軸７は、図４に示す如く略３０゜で拡張した脚部８の先端を結んだ面よりも引込んだ位置Ａと、図１、図１３に示す如く主軸７と平行に閉じたときの脚部８の先端よりも突出した位置Ｂとの間のストロークＳで伸縮できるようになっている。
【００２４】
前記各脚部８の開脚側端部には図１２、図１３に示す如く先端に向かって縮径した縮径部１８が形成してあり、また、前記主軸７の先端には前記脚部８の縮径部１８に係合できる係合部１９が形成してある。前記縮径部１８は図８、図１０のようにテーパ状であっても或いは曲面状であってもよい。図１２の如く各脚部８を主軸７に沿わせた状態において主軸７を押し込んで図１３の如く係合部１９を各脚部８の縮径部１８に係合させると、脚部８の拡張を阻止できる。
【００２５】
前記主軸７の係合部１９より先端側には先端に向かって尖らせた形状のタッチペン用剣先２０を形成している。また、前記係合部１９を縮径部１８に係合させた状態から主軸７を伸長させる際に、爪を掛けて主軸７を引き出すための凹部が形成されるように、主軸７の係合部１９に切欠部２１を設けることは好ましい。
【００２６】
図１５、図１６は、携帯電話機２に対して保持具１を取り付ける取付方法の他の例を示したものであり、この例では携帯電話機２の側部に保持具１を取り付けるためのネジ孔２２を設け、前記保持具１の取付部５の部分に、前記ネジ孔２２に螺合可能な取付ネジ部２３を設けている。
【００２７】
次に、上記形態例の作動を説明する。
【００２８】
上記形態に示した保持具１は、通常は図２に示す携帯電話機２の側部の係止片３に支持させて携帯電話機２と一緒に持ち歩き、必要に応じて保持具１を係止片３から取り外すことにより、図３に示す如く保持具１をタッチペンとして使用することができる。
【００２９】
このように保持具１をタッチペンとして使用するときは、図１、図６示す如く外筒１０を引き出して取付部５を外筒１０で覆い、一方、前記各脚部８は図１２の如く主軸７に沿わせた状態において主軸７を押し込んで係合部１９を図１３の如く各脚部８の縮径部１８に係合させて脚部８の拡張を阻止した図１の状態にする。これにより、保持具１先端のタッチペン用剣先２０を用いて携帯電話機２への入力を行う。この時、保持具１は、脚部８が閉じられ且つ取付部５及び自在継手９が外筒１０及び蛇腹部１１によって包囲されているので、良好なグリップ感を保持できる。
【００３０】
一方、前記保持具１を携帯用電子機器（被保持体）の三脚として使用する際には、図４、図７に示す如く外筒１０を押し込んで蛇腹部１１を縮小させ、取付部５を露出した状態にする。更に、図１３の係合部１９の切欠部２１に爪を掛けて図１２のように主軸７を引き出して脚部８の拘束を解除し、脚部を図４の如く開脚させる。このとき、図４に示す如く、脚部８を略３０゜で拡張させたときの脚部８の先端を結ぶ面よりも主軸７の先端が引込んだ位置Ａになるように、主軸７を引込ませておく。
【００３１】
続いて、図１４に示す如く、前記保持具１の取付部５を携帯電話機２の接続端子４に挿入して取り付ける。また、図１５、図１６の構成では、携帯電話機２のネジ孔２２に取付ネジ部２３を螺合することにより保持具１を携帯電話機２に取り付ける。
【００３２】
次に、図１７に示す如く、保持具１の開脚した脚部８を接地させることにより、携帯電話機２は起立した状態に保持され、これにより、携帯電話機２による自分撮りやセルフタイマーでの撮影が可能になる。この時、前記保持具１の脚部８の開脚角度は、図８、図９及び図１０、図１１に示すストッパ部１３によって例えば３０゜に制限されているので、携帯電話機２は保持具１によって安定した状態に支持される。
【００３３】
前記保持具１は、図５に示したように軸部６の長さ方向中間部が回転ヒンジなどの自在継手９により折曲可能になっており、更に、取付部５は携帯電話機２の接続端子４に対して回転可能に取り付けられているので、携帯電話機２に対して保持具１を回転させ、また、自在継手９の折り曲げを調節することにより、図１７のようにセットする携帯電話機２の姿勢は、水平或いは任意の傾斜角度に容易に調整することができる。
【図面の簡単な説明】
【００３４】
【図１】本発明を実施する形態の一例としての保持具の全体側面図である。
【図２】図１の保持具を携帯電話機に取り付た状態を示す斜視図である。
【図３】図１の保持具をタッチペンとして使用する状態を示す斜視図である。
【図４】図１の保持具を携帯電話機の保持に用いる状態を説明するための側面である。
【図５】保持具を構成する軸部に設けた自在継手の一例を示す側面図である。
【図６】外筒を引き出して取付部を覆った状態を示す側面図である。
【図７】外筒を押し込んで取付部を露出させた状態を示す側面図である。
【図８】脚部の折曲部とストッパ部の構成の一例を示す側面図である。
【図９】図８の脚部を開脚した状態を示す側面図である。
【図１０】脚部の折曲部とストッパ部の構成の他の例を示す側面図である。
【図１１】図１０の脚部を開脚した状態を示す側面図である。
【図１２】脚部に対して主軸を引き出した状態を示す部分断面図である。
【図１３】脚部に対して主軸を押し込んだ状態を示す部分断面図である。
【図１４】携帯電話機側部の接続端子に保持具を取り付ける状態を示す斜視図である。
【図１５】携帯電話機側部に保持具を取り付ける取付方法の他の形態を示す携帯電話機の斜視図である。
【図１６】図５に対応する保持具の側面図である。
【図１７】携帯電話機を保持具で支持した状態を示す斜視図である。
【符号の説明】
【００３５】
１  保持具
２  携帯電話機（被保持体）
４  接続端子
５  取付部
６  軸部
７  主軸
８  脚部
９  自在継手
１０  外筒
１３  ストッパ部
１８  縮径部
１９  係合部
２０  タッチペン用剣先
２２  ネジ孔
【図１】
2006235136.tif 000003
【図２】
2006235136.tif 000004
【図３】
2006235136.tif 000005
【図４】
2006235136.tif 000006
【図５】
2006235136.tif 000007
【図６】
2006235136.tif 000008
【図７】
2006235136.tif 000009
【図８】
2006235136.tif 000010
【図９】
2006235136.tif 000011
【図１０】
2006235136.tif 000012
【図１１】
2006235136.tif 000013
【図１２】
2006235136.tif 000014
【図１３】
2006235136.tif 000015
【図１４】
2006235136.tif 000016
【図１５】
2006235136.tif 000017
【図１６】
2006235136.tif 000018
【図１７】
2006235136.tif 000019